(57)【要約】食品を調理するために使用されるグリル構成部材（１０）が、低い熱膨張定数を有する材料からなるグリル面（１６）を含む。一つ例では、グリル面（１６）がInvar（登録商標）からなる。Invar（登録商標）は、鉄と３６％のニッケルとからなる合金であり、他の微量な元素を含んでいてもよい。Invar（登録商標）は、低い熱膨張定数を有し、加熱されたときにほどんと移動及び膨張しない。グリル面（１６）はさらに、Teflon（登録商標）のようなこびり付き防止コーティング（１８）を含んでいる。グリル面はまた、ヒータ（２６）上を移動するコンベアベルト（３２）であってもよい。
2005523057.tif 000002
【特許請求の範囲】
【請求項１】
低い熱膨張定数を有する材料からなるグリル面と、
前記グリル面上に位置するこびり付き防止コーティングとを備えているグリル構成部材。
【請求項２】
請求項１に記載のグリル構成部材において、
前記グリル面がニッケル鉄合金であるグリル構成部材。
【請求項３】
請求項１に記載のグリル構成部材において
前記こびり付き防止コーティングがポリマーを含むフッ素であるグリル構成部材。
【請求項４】
請求項１に記載のグリル構成部材において、
前記グリル面を加熱するヒータをさらに備えているグリル構成部材。
【請求項５】
請求項１に記載のグリル構造において、
前記グリル面がコンベアベルトであるグリル構造。
【請求項６】
請求項５に記載のグリル構成部材において、
前記コンベアベルトをヒータ上で駆動するためのモータをさらに備えているグリル構成部材。
【請求項７】
請求項１に記載のグリル構成部材において、
前記グリル面が無端部材であるグリル構成部材。
【請求項８】
請求項１に記載のグリル構成部材において、
前記グリル面が実質的に平坦であるグリル構成部材。
【請求項９】
請求項１に記載のグリル構成部材において、
前記グリル面を有する第１のグリル構成部材と前記グリル面を有する第２のグリル構成部材とをさらに備え、
前記第１のグリル構成部材と前記第２のグリル構成部材とがギャップによって隔てられているグリル構成部材。
【請求項１０】
請求項２に記載のグリル構成部材において、
前記ニッケル鉄合金が約３６％のニッケルを含んでいるグリル構成部材。
【請求項１１】
約３６％のニッケルを含むニッケル鉄合金からなるグリル面と、
前記グリル面上に位置するこびり付き防止コーティングとを備えているグリル構成部材。
【請求項１２】
請求項１１に記載のグリル構成部材において、
前記こびり付き防止コーティングがポリマーを含むフッ素であるグリル構成部材。
【請求項１３】
請求項１１に記載のグリル構成部材において、
前記グリル面が無端部材であるグリル構成部材。
【請求項１４】
請求項１３に記載のグリル構成部材において、
前記無端部材をヒータ上で駆動するためのモータをさらに備えているグリル構成部材。
【請求項１５】
請求項１１に記載のグリル構成部材において、
前記グリル面が実質的に平坦であるグリル構成部材。
【請求項１６】
ニッケル鉄合金からなる無端部材を備えているグリル構成部材。
【請求項１７】
請求項１６に記載のグリル構成部材において、
前記ニッケル鉄合金が約３６％のニッケルを含んでいるグリル構成部材。
【請求項１８】
請求項１６に記載のグリル構成部材において、
ヒータをさらに備えているグリル構成部材。
【請求項１９】
請求項１６に記載のグリル構成部材において、
前記無端部材がコンベアベルトであるグリル構成部材。
【発明の詳細な説明】
【技術分野】
【０００１】
本発明は、一般に、食品を調理するために使用される低い熱膨張定数を有するグリル面に関する。
【背景技術】
【０００２】
グリルあるいはフライパンは、ハンバーガーのような様々な食品を調理するために使用される。従来のグリルでは、食品の両側が別々にグリルされる。食品は平坦なグリル部分上に配置され、該平坦なグリル部分に接触する食品の片側をグリルする。食品の片側が調理された後、該食品はその反対側を調理するために手でひっくり返される。食品が調理された後、該食品は提供されるために手でグリルから取り除かれる。
【０００３】
従来の他のグリルでは、食品の両側が同時にグリルされる。コントロールユニットに食品のタイプをプログラムした後、該食品は下部グリル部分上に配置される。それから、上部グリル部分を有する圧板が食品を覆うように下げられ、食品を上部及び下部グリル部分の間に位置させ、食品の両側を同時にグリルする。圧板を下げた後、上部及び下部グリル部分の間の距離は、コントロールユニットにプログラムされた食品のタイプにしたがって自動的に調整される。予め規定された量の時間が経過した後、圧板が上がり、食品が手でグリルから取り除かれる。
【０００４】
また、ヒータ上を移動するコンベアベルトが、食品をグリルするために使用されている。食品のアイテムがコンベアベルトに載せられてヒータ上を移動すると、該食品のアイテムが調理される。
【発明の開示】
【発明が解決しようとする課題】
【０００５】
グリル面の材料は、一般にステンレススチールである。ステンレススチールを使用することの欠点は、それが高い熱膨張定数を有し、膨張して食品のアイテムから浮き上がってしまう傾向にあることである。これが生じるとき、食品は完全に調理されないかもしれない。低い熱膨張定数を有する材料のグリル面を使用することは有益であろう。
【課題を解決するための手段】
【０００６】
食品をグリルするために使用されるグリル構成部材は、ヒータと、低い熱膨張定数を有する材料からなるグリル面とを備えている。一つの例では、グリル面がInvar（登録商標）からなる。Invar（登録商標）は、鉄と３６％のニッケルとからなる合金であり、他の微量な元素を含んでいてもよい。Invar（登録商標）は、低い熱膨張定数を有し、加熱したときにほとんど移動及び膨張しない。グリル面はさらに、Teflon（登録商標）のようなこびり付き防止コーティングを含んでいる。
【０００７】
グリル面は、グリル構成部材のグリル構造の周囲に配置されるコンベアベルトであってもよい。グリル構成部材はさらに、ヒータと、駆動プーリと、非駆動プーリとを含む。駆動プーリは、コンベアベルトをグリル構造の周囲で移動させるために駆動モータによって作動され、ヒータ上を移動する面を生じさせる。複数の食品アイテムがコンベアベルトに載せられてヒータ上を移動すると、該複数の食品アイテムが調理される。
【０００８】
本発明のこれら及び他の特徴は、以下の明細書及び図面から良く理解されるだろう。
【発明を実施するための最良の形態】
【０００９】
本発明の様々な特徴及び利点は、現時点での好ましい実施形態の以下の詳細な説明から当業者にとって明らかになるだろう。詳細な説明に伴う図面は、以下のように簡略に記載されることができる。
図１は、グリル構成部材を概略的に示している。
図２は、グリル面としてコンベアベルトを使用したグリル構成部材を概略的に示している。
図３は、グリル面として一対のコンベヤベルトを含んだグリル構成部材を概略的に示している。
【００１０】
図１は、ハンバーガーパティのような複数の食品アイテム１２をグリルするために使用されるグリル構成部材１０を概略的に示している。グリル構成部材１０は、複数の食品アイテム１２を調理するためのヒータ１４と、低い熱膨張定数を有する適当な材料からなるグリル面１６とを含んでいる。
【００１１】
一つの例では、グリル面１６が、フランス国パリのImphy S.A. Corporationから市販されているInvar（登録商標）からなる。Invar（登録商標）は、鉄と３６％のニッケルとからなる合金であり、他の微量な元素を含んでいてもよい。Invar（登録商標）は、低い熱膨張定数を有し、加熱したときにほとんど移動及び膨張しない。Invar（登録商標）が記載されているが、低い熱膨張定数を有する他の適当な材料が使用されていてもよいことは理解できる。
【００１２】
グリル面１６はさらに、こびり付き防止コーティング１８を含んでいる。一つの例では、こびり付き防止コーティング１８が、デラウェア州ウィルミントンのE.I. DuPont Nemours and Company Corporationから市販されているTeflon（登録商標）である。しかしながら、他の適当な材料がこびり付き防止コーティング１８として使用されていてもよい。
【００１３】
図２は、グリル面としてコンベアベルト３２を使用した他のグリル構成部材２０を示している。グリルコンベアベルト３２は、グリル構造２４、ヒータ２６、駆動プーリ２８及び非駆動プーリ３０の周囲に配置されている。一つの例では、ヒータ２６が、４００度の温度の電気抵抗ヒータである。駆動プーリ２８は、コンベアベルト３２をグリル構造２４の周囲で移動させるために駆動モータ３４によって作動され、ヒータ２６上を移動する面を生じさせる。複数の食品アイテム２２がコンベアベルト３２に載せられてヒータ２６上を移動すると、該複数の食品アイテム２２が調理される。
【００１４】
コンベアベルト３２は、Invar（登録商標）のような低い熱膨張定数を有する任意の適当な材料からなる。コンベアベルト３２はさらに、Teflon（登録商標）のようなこびり付き防止コーティング３６を含んでいる。
【００１５】
図３は、ギャップｄによって隔てられた一対のグリル構成部材１２４ａ及び１２４ｂを含んだ他のグリル構成部材１２０を概略的に示している。各グリル構成部材１２４ａ及び１２４ｂは、ヒータ１２６ａ及び１２６ｂと、駆動プーリ１２８ａ及び１２８ｂと、非駆動プーリ１３０ａ及び１３０ｂと、グリル構成部材１２４ａ及び１２４ｂのそれぞれの周囲に配置されたコンベアベルト１３２ａ及び１３２ｂとを含んでいる。駆動プーリ１２８ａ及び１２８ｂは、駆動モータ１３２ａ及び１３２ｂのそれぞれによって作動され、ヒータ１２６ａ及び１２６ｂ上を移動する面を生じさせる。駆動コントローラ１３４は、コンベアベルト１３２ａ及び１３２ｂの速度を同期させるために駆動モータ１３２ａ及び１３２ｂにコントロール信号を供給する。複数の食品アイテム２２がコンベアベルト１３２ａ及び１３２ｂの間を移動する間に該複数の食品アイテム２２がギャップｄ内を通過することによって、複数の食品アイテム２２がグリルされる。複数の食品アイテム２２はギャップｄ内で締め付けられているため、該複数の食品アイテム２２はコンベアベルト１３２ａ及び１３２の間で滑らない。
【００１６】
本発明のグリル面は、２００２年４月１７日に出願された係属中の特許出願第１０／１２４，６２９号“自動グリル”に記載されているような自動グリル内で使用されることができる。
【００１７】
Invar（登録商標）のグリル面を利用することの利点がいくつかある。一例として、Invar（登録商標）が低い熱膨張定数を有しているため、加熱されたときにほとんど膨張あるいは移動しないことである。したがって、それが調理中の複数の食品アイテムから浮き上がることがなく、複数の食品アイテム全体の調理を改善する。
【００１８】
前述の説明は、本発明の主要部の単なる例示である。多くの修正及び変形が、上述の教示を考慮して可能である。したがって、本発明は、添付された請求の範囲内で、詳細に記載された具体例を使用するよりも他の方法で実行されてもよい。そのような理由により、本発明の請求の範囲は、本発明の真の範囲及び内容を規定するように考慮されなければならない。
【図面の簡単な説明】
【００１９】
【図１】グリル構成部材の概略図である。
【図２】グリル面としてコンベアベルトを使用したグリル構成部材の概略図である。
【図３】グリル面として一対のコンベヤベルトを含んだグリル構成部材の概略図である。
【符号の説明】
【００２０】
１０  グリル構成部材
１２  食品アイテム
１４  ヒータ
１６  グリル面
１８  こびり付き防止コーティング
【図１】
2005523057.tif 000003
【図２】
2005523057.tif 000004
【図３】
2005523057.tif 000005
【手続補正書】
【提出日】平成16年4月26日(2004.4.26)
【手続補正１】
【補正対象書類名】特許請求の範囲
【補正対象項目名】全文
【補正方法】変更
【補正の内容】
【特許請求の範囲】
【請求項１】
グリル面（１６）と、前記グリル面（１６）上に位置するこびり付き防止コーティング（１８）とを備え、
前記グリル面が低い熱膨張定数を有する材料からなることを特徴とするグリル構成部材（１０）。
【請求項２】
請求項１に記載のグリル構成部材において、
前記グリル面（１６）がニッケル鉄合金であるグリル構成部材。
【請求項３】
請求項１に記載のグリル構成部材において
前記こびり付き防止コーティングがポリマーを含むフッ素であるグリル構成部材。
【請求項４】
請求項１に記載のグリル構成部材において、
前記グリル面（１６）を加熱するヒータ（２６）をさらに備えているグリル構成部材。
【請求項５】
請求項１に記載のグリル構造において、
前記グリル面（１６）がコンベアベルト（３２）であるグリル構造。
【請求項６】
請求項５に記載のグリル構成部材において、
前記コンベアベルト（３２）をヒータ（２６）上で駆動するためのモータ（３４）をさらに備えているグリル構成部材。
【請求項７】
請求項１に記載のグリル構成部材において、
前記グリル面（１６）が無端部材（３２）であるグリル構成部材。
【請求項８】
請求項１に記載のグリル構成部材において、
前記グリル面（１６）が実質的に平坦であるグリル構成部材。
【請求項９】
請求項１に記載のグリル構成部材において、
前記グリル面を有する第１のグリル構成部材（１２４ａ）と前記グリル面を有する第２のグリル構成部材（１２４ｂ）とをさらに備え、
前記第１のグリル構成部材と前記第２のグリル構成部材とがギャップ（ｄ）によって隔てられているグリル構成部材。
【請求項１０】
請求項２に記載のグリル構成部材において、
前記ニッケル鉄合金が約３６％のニッケルを含んでいるグリル構成部材。
【請求項１１】
グリル面（１６）と、前記グリル面（１６）上に位置するこびり付き防止コーティング（１８）とを備え、
前記グリル面が約３６％のニッケルを含むニッケル鉄合金からなることを特徴とするグリル構成部材。
【請求項１２】
請求項１１に記載のグリル構成部材において、
前記こびり付き防止コーティング（１８）がポリマーを含むフッ素であるグリル構成部材。
【請求項１３】
請求項１１に記載のグリル構成部材において、
前記グリル面（１６）が無端部材（３２）であるグリル構成部材。
【請求項１４】
請求項１３に記載のグリル構成部材において、
前記無端部材（３２）をヒータ（２６）上で駆動するためのモータ（３４）をさらに備えているグリル構成部材。
【請求項１５】
請求項１１に記載のグリル構成部材において、
前記グリル面（１６）が実質的に平坦であるグリル構成部材。
【請求項１６】
無端部材（３２）を備え、
前記無端部材がニッケル鉄合金からなることを特徴とするグリル構成部材。
【請求項１７】
請求項１６に記載のグリル構成部材において、
前記ニッケル鉄合金が約３６％のニッケルを含んでいるグリル構成部材。
【請求項１８】
請求項１６に記載のグリル構成部材において、
ヒータ（２６）をさらに備えているグリル構成部材。
【請求項１９】
請求項１６に記載のグリル構成部材において、
前記無端部材（３２）がコンベアベルト（３２）であるグリル構成部材。
【手続補正２】
【補正対象書類名】明細書
【補正対象項目名】０００４
【補正方法】変更
【補正の内容】
【０００４】
また、ヒータ上を移動するコンベアベルトが、食品をグリルするために使用されている。食品のアイテムがコンベアベルトに載せられてヒータ上を移動すると、該食品のアイテムが調理される。
【特許文献１】米国特許第５，０４４，２６４号明細書
【国際調査報告】
2005523057.tif 000006
2005523057.tif 000007
2005523057.tif 000008